【手続補正書】
【提出日】平成17年8月10日(2005.8.10)
【手続補正１】
【補正対象書類名】明細書
【補正対象項目名】発明の名称
【補正方法】変更
【補正の内容】
【発明の名称】正副ホストの切替方法、及び、オンライン取引システム
【手続補正２】
【補正対象書類名】明細書
【補正対象項目名】特許請求の範囲
【補正方法】変更
【補正の内容】
【特許請求の範囲】
【請求項１】
端末との間でオンライン取引を行う正ホストと、バックアップ用の副ホストと、を有するオンライン取引システムにおいて、正ホストから副ホストにオンライン取引の動作主体を切替える際の正副ホストの切替方法であって、
前記正ホストから前記副ホストにオンライン取引の動作主体を切替える際、この切替の契機となった切替指示が出される前から前記正ホストで継続されているオンライン取引については、前記正ホストに、このオンライン取引に係る処理を完了させて、前記正ホストの元帳データベースの内容を確定させ、この確定した元帳データベースの内容と前記副ホストの元帳データベースの内容とが同一の内容となるように前記副ホストの元帳データベースを更新し、
前記切替指示が出された時点で前記正ホストが開始していない未処理のオンライン取引であって、前記正ホストが受け付けたオンライン取引については、前記副ホストの元帳データベースの更新後、前記副ホストに、このオンライン取引に係る処理を実行させ、この処理結果を、前記正ホストの元帳データベースに反映させると共に、前記処理結果を、前記正ホストを介して端末に送信することで、前記正ホストが受け付けた前記未処理のオンライン取引を完了させることを特徴とする正副ホストの切替方法。
【請求項２】
端末から送信されてくる取引電文を受信し、この取引電文に基づいて、端末との間でオンライン取引を行う正ホストと、バックアップ用の副ホストと、を有するオンライン取引システムにおいて、正ホストから副ホストにオンライン取引の動作主体を切替える際の正副ホストの切替方法であって、
切替コマンドが入力されると、前記正ホストが、この時点で開始していない未処理のオンライン取引に係る取引電文を、未処理の状態で保持する工程と、
前記切替コマンドが入力されると、前記正ホストが、この時点で、継続中のオンライン取引に係る処理を完了させて、前記正ホストの元帳データベースの内容を確定させ、この確定した元帳データベースの内容と前記副ホストの元帳データベースの内容とが同一の内容となるように前記副ホストの元帳データベースを更新する工程と、
前記副ホストの元帳データベースの更新後、正ホストが副ホストにダミー電文を送信する工程と、
前記正ホストによるダミー電文の送信後、前記副ホストが、このダミー電文を受信する工程と、
前記ダミー電文を受信すると、前記副ホストが、自装置を端末とオンライン取引可能な状態にし、この処理が完了すると、処理完了を通知する切替完了通知を前記正ホストに送信する工程と、
前記副ホストによる切替完了通知の送信後、前記正ホストが、この切替完了通知を受信する工程と、
前記切替完了通知を受信すると、前記正ホストが、全端末に対して、オンライン取引の対象を、副ホストへ切替えるように指示する工程と、
前記切替完了通知を受信すると、前記保持する工程により、前記正ホストにて保持されている前記未処理の取引電文を、前記正ホストが、前記副ホストに転送する工程と、
前記副ホストが、前記転送された取引電文を受信し、この取引電文に基づいて、オンライン取引に係る処理を実行する工程と、
前記オンライン取引に係る処理を実行する工程により、得られた処理結果に基づき、前記副ホストが、前記副ホストの元帳データベースを更新する工程と、
前記オンライン取引に係る処理を実行する工程により、得られた前記処理結果を、前記副ホストが前記正ホストに送信する工程と、
前記副ホストから送信されてくる前記処理結果を、前記正ホストが受信する工程と、
前記処理結果を受信すると、前記正ホストが、該当する端末に対して、この処理結果を送信し、前記切替コマンドが入力された時点で前記正ホストが未処理のオンライン取引を完了させる工程と、
を有することを特徴とする正副ホストの切替方法。
【請求項３】
端末から送信されてくる取引電文を受信し、この取引電文に基づいて、端末との間でオンライン取引を行う正ホストと、バックアップ用の副ホストと、を有し、前記正ホスト及び副ホストの夫々は、元帳データベースを有するオンライン取引システムであって、
前記正ホストは、
切替コマンドが入力されると、この時点で開始していない未処理のオンライン取引に係る取引電文を、未処理の状態で保持する手段と、
前記切替コマンドが入力されると、この時点で継続中のオンライン取引に係る処理を完了させて、前記正ホストの元帳データベースの内容を確定させ、この確定した正ホストの元帳データベースの内容と前記副ホストの元帳データベースの内容とが同一の内容となるように前記副ホストの元帳データベースを更新する手段と、
前記副ホストの元帳データベースの更新後、前記副ホストにダミー電文を送信する手段と、
前記副ホストから切替完了通知を受信すると、全端末に対して、オンライン取引の対象を、副ホストへ切替えるように指示する信号を送信すると共に、前記保持している未処理の取引電文を、前記副ホストに転送する手段と、
前記転送した取引電文に係るオンライン取引の処理結果を、前記副ホストから受信すると、この処理結果を、該当する端末に対して送信する手段と、
を備え、
前記副ホストは、
前記正ホストから送信されてくるダミー電文を受信すると、自装置を端末とオンライン取引可能な状態にし、この処理が完了すると、処理完了を通知する切替完了通知を前記正ホストに送信する手段と、
前記正ホストから転送されてくる取引電文を受信すると、この取引電文に基づいて、オンライン取引に係る処理を実行する手段と、
前記転送されてきた取引電文に基づくオンライン取引に係る処理の実行により得られた処理結果に基づき、前記副ホストの元帳データベースを更新すると共に、前記処理結果を、前記正ホストに送信する手段と、
を備えることを特徴とするオンライン取引システム。
【手続補正３】
【補正対象書類名】明細書
【補正対象項目名】０００５
【補正方法】変更
【補正の内容】
【０００５】
【課題を解決する為の手段】
かかる目的を達成するためになされた請求項１記載の発明は、端末との間でオンライン取引を行う正ホストと、バックアップ用の副ホストと、を有するオンライン取引システムにおいて、正ホストから副ホストにオンライン取引の動作主体を切替える際の正副ホストの切替方法であって、
前記正ホストから前記副ホストにオンライン取引の動作主体を切替える際、この切替の契機となった切替指示が出される前から前記正ホストで継続されているオンライン取引については、前記正ホストに、このオンライン取引に係る処理を完了させて、前記正ホストの元帳データベースの内容を確定させ、この確定した元帳データベースの内容と前記副ホストの元帳データベースの内容とが同一の内容となるように前記副ホストの元帳データベースを更新し、
前記切替指示が出された時点で前記正ホストが開始していない未処理のオンライン取引であって、前記正ホストが受け付けたオンライン取引については、前記副ホストの元帳データベースの更新後、前記副ホストに、このオンライン取引に係る処理を実行させ、この処理結果を、前記正ホストの元帳データベースに反映させると共に、前記処理結果を、前記正ホストを介して端末に送信することで、前記正ホストが受け付けた前記未処理のオンライン取引を完了させることを特徴とする。
【手続補正４】
【補正対象書類名】明細書
【補正対象項目名】０００６
【補正方法】変更
【補正の内容】
【０００６】
また、請求項２記載の発明は、端末から送信されてくる取引電文を受信し、この取引電文に基づいて、端末との間でオンライン取引を行う正ホストと、バックアップ用の副ホストと、を有するオンライン取引システムにおいて、正ホストから副ホストにオンライン取引の動作主体を切替える際の正副ホストの切替方法であって、
切替コマンドが入力されると、前記正ホストが、この時点で開始していない未処理のオンライン取引に係る取引電文を、未処理の状態で保持する工程と、
前記切替コマンドが入力されると、前記正ホストが、この時点で、継続中のオンライン取引に係る処理を完了させて、前記正ホストの元帳データベースの内容を確定させ、この確定した元帳データベースの内容と前記副ホストの元帳データベースの内容とが同一の内容となるように前記副ホストの元帳データベースを更新する工程と、
前記副ホストの元帳データベースの更新後、正ホストが副ホストにダミー電文を送信する工程と、
前記正ホストによるダミー電文の送信後、前記副ホストが、このダミー電文を受信する工程と、
前記ダミー電文を受信すると、前記副ホストが、自装置を端末とオンライン取引可能な状態にし、この処理が完了すると、処理完了を通知する切替完了通知を前記正ホストに送信する工程と、
前記副ホストによる切替完了通知の送信後、前記正ホストが、この切替完了通知を受信する工程と、
前記切替完了通知を受信すると、前記正ホストが、全端末に対して、オンライン取引の対象を、副ホストへ切替えるように指示する工程と、
前記切替完了通知を受信すると、前記保持する工程により、前記正ホストにて保持されている前記未処理の取引電文を、前記正ホストが、前記副ホストに転送する工程と、
前記副ホストが、前記転送された取引電文を受信し、この取引電文に基づいて、オンライン取引に係る処理を実行する工程と、
前記オンライン取引に係る処理を実行する工程により、得られた処理結果に基づき、前記副ホストが、前記副ホストの元帳データベースを更新する工程と、
前記オンライン取引に係る処理を実行する工程により、得られた前記処理結果を、前記副ホストが前記正ホストに送信する工程と、
前記副ホストから送信されてくる前記処理結果を、前記正ホストが受信する工程と、
前記処理結果を受信すると、前記正ホストが、該当する端末に対して、この処理結果を送信し、前記切替コマンドが入力された時点で前記正ホストが未処理のオンライン取引を完了させる工程と、
を有することを特徴とする。
【手続補正５】
【補正対象書類名】明細書
【補正対象項目名】０００７
【補正方法】変更
【補正の内容】
【０００７】
また、請求項３記載の発明は、端末から送信されてくる取引電文を受信し、この取引電文に基づいて、端末との間でオンライン取引を行う正ホストと、バックアップ用の副ホストと、を有し、前記正ホスト及び副ホストの夫々は、元帳データベースを有するオンライン取引システムであって、
前記正ホストは、
切替コマンドが入力されると、この時点で開始していない未処理のオンライン取引に係る取引電文を、未処理の状態で保持する手段と、
前記切替コマンドが入力されると、この時点で継続中のオンライン取引に係る処理を完了させて、前記正ホストの元帳データベースの内容を確定させ、この確定した正ホストの元帳データベースの内容と前記副ホストの元帳データベースの内容とが同一の内容となるように前記副ホストの元帳データベースを更新する手段と、
前記副ホストの元帳データベースの更新後、前記副ホストにダミー電文を送信する手段と、
前記副ホストから切替完了通知を受信すると、全端末に対して、オンライン取引の対象を、副ホストへ切替えるように指示する信号を送信すると共に、前記保持している未処理の取引電文を、前記副ホストに転送する手段と、
前記転送した取引電文に係るオンライン取引の処理結果を、前記副ホストから受信すると、この処理結果を、該当する端末に対して送信する手段と、
を備えることを特徴とする。
【手続補正６】
【補正対象書類名】明細書
【補正対象項目名】０００８
【補正方法】変更
【補正の内容】
【０００８】
その他、請求項３に記載のオンライン取引システムにおいて、
前記副ホストは、
前記正ホストから送信されてくるダミー電文を受信すると、自装置を端末とオンライン取引可能な状態にし、この処理が完了すると、処理完了を通知する切替完了通知を前記正ホストに送信する手段と、
前記正ホストから転送されてくる取引電文を受信すると、この取引電文に基づいて、オンライン取引に係る処理を実行する手段と、
前記転送されてきた取引電文に基づくオンライン取引に係る処理の実行により得られた処理結果に基づき、前記副ホストの元帳データベースを更新すると共に、前記処理結果を、前記正ホストに送信する手段と、
を備えることを特徴とする。
【手続補正７】
【補正対象書類名】明細書
【補正対象項目名】００１５
【補正方法】変更
【補正の内容】
【００１５】
正ホスト１では、切替コマンドを受信すると、切替コマンドの受信時に未処理の取引電文を待機させる（Ｓｔｅｐ１０１）。又、正ホスト１から副ホスト３にダミー電文を、回線６を介して送信する（Ｓｔｅｐ１０２）。
ダミー電文を受信した副ホスト３は、ダミー電文の受信により、全ての元帳データベースの更新情報が正ホスト１から送信されたものと判断し、元帳データベース４の更新を終了させる（Ｓｔｅｐ２００）。そして、切替え準備が完了したことを通知する完了通知を正ホスト１に送信する（Ｓｔｅｐ２０１）。
【手続補正８】
【補正対象書類名】明細書
【補正対象項目名】００１７
【補正方法】変更
【補正の内容】
【００１７】
ここまでの動作の概念を図６に示す。図６では、切替コマンドが発行された正ホスト１からダミー電文が副ホスト３に送信され、これに対する完了通知及び確認通知が送信されている状態を示している。又、切替コマンド発行時に未処理だったＡＴＭ５ｎの電文が待機された後、副ホスト３に転送される状態も示している。